(57)【要約】【課題】  多チャンネル無接触電力伝送システムを提供する。【解決手段】  多チャンネル無接触電力伝送システム（２００）は、システム（２００）の不動側（１３）に配置された一次電力インバータ（１０８）と、システム（２００）の不動側（１３）に配置された補助電力インバータ（２０４）とを含んでいる。回転変圧器（２０２）が、システム（２００）の不動側（１３）に配置された一次側（３０２）と、システム（２００）の回転側に配置された二次側とを有する。回転変圧器（２０２）は一次電力インバータ（１０８）の出力からの一次電力をシステム（２００）の回転側（１２）の一次電力電圧出力に結合するように構成されると共に、更に補助電力インバータ（２０４）の出力からの補助電力をシステム（２００）の回転側（１２）の少なくとも１つの補助電圧出力に結合するように構成される。【選択図】        図３
2006296944.tif 000002
【特許請求の範囲】
【請求項１】
多チャンネル無接触電力伝送システム（２００）であって、
当該システム（２００）の不動側（１３）に配置された一次電力インバータ（１０８）と、
当該システム（２００）の不動側（１３）に配置された補助電力インバータ（２０４）と、
当該システム（２００）の不動側（１３）に配置された一次側（３０２）、及び当該システム（２００）の回転側（１２）に配置された二次側（３０４）を持つ回転変圧器（２０２）とを含み、
前記回転変圧器（２０２）は前記一次電力インバータ（１０８）の出力からの一次電力を当該システム（２００）の前記回転側（１２）の一次電力電圧出力に結合するように構成され、また前記回転変圧器（２０２）は更に前記補助電力インバータ（２０４）の出力からの補助電力を当該システム（２００）の前記回転側（１２）の少なくとも１つの補助電圧出力に結合するように構成されていること、を特徴とする多チャンネル無接触電力伝送システム（２００）。
【請求項２】
前記回転変圧器（２０２）の前記一次及び二次側（３０２，３０４）は更に、同心のＥ字形コア（３０８，３１０）を含んでいる、請求項１記載の電力伝送システム（２００）。
【請求項３】
前記回転変圧器（２０２）の前記一次側（３０２）の前記同心のＥ字形コア（３０８，３１０）の内の第１のコアには、前記一次電力インバータ（１０８）の出力に結合された巻線（２０６）が巻装されており、
前記回転変圧器（２０２）の前記一次側（３０２）の前記同心のＥ字形コア（３０８，３１０）の内の第２のコアには、前記補助電力インバータ（２０４）の出力に結合された巻線（２１８）が巻装されている、
請求項２記載の電力伝送システム（２００）。
【請求項４】
前記回転変圧器（２０２）の前記二次側（３０４）の前記同心のＥ字形コア（３０８，３１０）の内の第１のコアには、前記一次電力電圧出力を発生するために使用されるタンク回路（１１４）に結合された巻線（２０８）が巻装されており、
前記回転変圧器（２０２）の前記二次側（３０４）の前記同心のＥ字形コア（３０８，３１０）の内の第２のコアには、前記少なくとも１つの補助電圧出力を発生するために使用される少なくとも１つの巻線（２１２，２１４）が巻装されている、
請求項３記載の電力伝送システム（２００）。
【請求項５】
前記回転変圧器（２０２）の前記一次及び二次側（３０２，３０４）における各巻線は、対応するＥ字形コア（３０８，３１０）中の第１の開口部から始めて、前記第１の溝に沿って円周方向に延在させ、次いで前記対応するＥ字形コア（３０８，３１０）中の第２の開口部に通し、次いで前記第２の溝に沿って円周方向反対方向にほぼ前記第１の開口部まで延在させるように、ワイヤを対応するＥ字形コア（３０８，３１０）の第１及び第２の溝内に配置することによって構成されている、請求項４記載の電力伝送システム（２００）。
【請求項６】
コンピュータ断層撮影（ＣＴ）システム（１０）用の多チャンネル無接触電力伝送システム（２００）であって、
前記ＣＴシステム（１０）の不動側（１３）に配置されたＸ線電力インバータ（１０８）と、
前記ＣＴシステム（１０）の前記不動側（１３）に配置された補助電力インバータ（２０４）と、
前記ＣＴシステム（１０）の前記不動側（１３）に配置された一次側（３０２）、及び前記ＣＴシステム（１０）の回転側（１２）に配置された二次側（３０４）を持つ回転変圧器（２０２）と、を有し、                                          
前記回転変圧器（２０２）は、前記Ｘ線電力インバータ（１０８）の出力からのＸ線発生電力を前記システムの前記回転側（１２）の高電圧タンク回路（１１４）に結合するように構成されており、前記高電圧タンク回路（１１４）は更にＸ線発生管（１２０）に結合されており、
更に前記回転変圧器（２０２）は、前記補助電力インバータ（２０４）の出力からの補助電力を前記ＣＴシステム（１０）の前記回転側（１２）の少なくとも１つの補助電圧出力に結合するように構成されていること、
を特徴とする多チャンネル無接触電力伝送システム（２００）。
【請求項７】
前記回転変圧器（２０２）の前記一次及び二次側（３０２，３０４）は更に、同心のＥ字形コア（３０８，３１０）を含んでいる、請求項６記載の電力伝送システム（２００）。
【請求項８】
前記回転変圧器（２０２）の前記一次側（３０２）の前記同心のＥ字形コアの内の第１のコア（３０８）には、前記Ｘ線電力インバータの出力に結合された巻線（２０６）が巻装されており、
前記回転変圧器（２０２）の前記一次側（３０２）の前記同心のＥ字形コアの内の第２のコア（３１０）には、前記補助電力インバータ（２０４）の出力に結合された巻線が巻装されている、
請求項７記載の電力伝送システム（２００）。
【請求項９】
前記回転変圧器（２０２）の前記二次側（３０４）の前記同心のＥ字形コアの内の第１のコア（３０８）には、前記高電圧タンク回路（１１４）に結合された巻線が巻装されており、
前記回転変圧器（２０２）の前記二次側（３０４）の前記同心のＥ字形コアの内の第２のコア（３１０）には、前記少なくとも１つの補助電圧出力を発生するために使用される少なくとも１つの巻線（２１２，２１４）が巻装されている、
請求項８記載の電力伝送システム（２００）。
【請求項１０】
前記回転変圧器（２０２）の前記一次及び二次側（３０２，３０４）における各巻線は、対応するＥ字形コア（３０８，３１０）中の第１の開口部から始めて、前記第１の溝に沿って円周方向に延在させ、次いで前記対応するＥ字形コア（３０８，３１０）中の第２の開口部に通し、次いで前記第２の溝に沿って円周方向反対方向にほぼ前記第１の開口部まで延在させるように、ワイヤを対応するＥ字形コア（３０８，３１０）の第１及び第２の溝内に配置することによって構成されている、請求項９記載の電力伝送システム（２００）。
【発明の詳細な説明】
【技術分野】
【０００１】
本発明は一般的に云えば電力伝送機構に関し、より具体的にはコンピュータ断層撮影（ＣＴ）システム用の多チャンネル無接触電力伝送システムに関するものである。
【背景技術】
【０００２】
コンピュータ断層撮影（ＣＴ）システムは、試験対象物の非侵襲性の断面画像を得るため、特に医学的分析及び処置のために人体組織の内部画像を得るために使用されている。現今のＣＴシステムは、不動のフレームによって支持されている回転フレームすなわちガントリの中央開口部内に、テーブル上の患者のような試験対象物を位置決めする。ガントリは、開口部の対向した両側で、デカルト座標系のｘ−ｙ平面（一般に「撮像平面」と呼ばれている）内に配置されたＸ線源と検出器アレイとを含んでおり、両者は撮像している試験対象物の周りをガントリと共に回転する。ガントリの回転経路に沿った幾つかの角度位置（「投影」とも呼ばれる）の各々において、Ｘ線源は扇形のコリメートされたビームを放出し、このビームは試験対象物の撮像スライスを通過して、試験対象物によって減衰し、検出器アレイによって受け取られる。
【０００３】
検出器アレイの各検出器素子は、減衰したＸ線ビームの強度、すなわち、Ｘ線源から特定の検出器素子へ投射されてその検知面に入射するビームの強度を表す別々の電気信号を生成する。全ての検出器素子からの電気信号は回転フレーム内の回路によって照合されて、各ガントリ角度すなわち各投影毎に投影データ・セットを生成する。各投影データ・セットは「ビュー(view)」と呼ばれており、またＸ線源及び検出器アレイの１回転の間の相異なるガントリ角度からこのようなビューの集合が「スキャン」と呼ばれている。スキャンは次いで不動のフレームにあるコンピュータによって処理され、投影データ・セットが試験対象物のスライスすなわち断面のＣＴ画像に再構成される。
【特許文献１】米国特許第６３０１３２４号
【発明の開示】
【発明が解決しようとする課題】
【０００４】
従来のＣＴシステムでは、電力はブラシ−スリップリング機構を介してインバータへ伝送され、インバータはＣＴシステムの高電圧タンク回路（例えば、変圧器、整流器及びフィルタ・キャパシタンス部品を含む）と一緒にガントリと共に物理的に回転する。残念なことに、回転するガントリ上にインバータを設置することは、システムの重量、体積及び複雑さを増大させる。更に、（典型的には、かなりの電流を通すために使用される）ブラシ−スリップリング機構は、信頼性の低下、保守整備の問題、及び特に過酷な環境において現代の敏感な医学的診断手順を妨害するような電気ノイズの発生を起こし易い。
【０００５】
従って、回転速度が一層高いＣＴシステムを開発するとき、回転部品の体積及び重量を低減することが有利になる。
【課題を解決するための手段】
【０００６】
従来技術の上記及び他の欠点及び欠陥を克服又は軽減するために多チャンネル無接触電力伝送システムが提供される。模範的な実施形態では、本電力伝送システムは、システムの不動側に配置された一次電力インバータと、システムの不動側に配置された補助電力インバータとを含んでいる。回転変圧器が、システムの不動側に配置された一次側と、システムの回転側に配置された二次側とを有する。回転変圧器は、一次電力インバータの出力からの一次電力をシステムの回転側の一次電力電圧出力に結合するように構成されると共に、更に補助電力インバータの出力からの補助電力をシステムの回転側の少なくとも１つの補助電圧出力に結合するように構成される。
【０００７】
別の実施形態では、コンピュータ断層撮影（ＣＴ）システム用の多チャンネル無接触電力伝送システムが提供され、該システムは、ＣＴシステムの不動側に配置されたＸ線電力インバータと、ＣＴシステムの不動側に配置された補助電力インバータとを含んでいる。回転変圧器が、ＣＴシステムの不動側に配置された一次側と、ＣＴシステムの回転側に配置された二次側とを有する。回転変圧器は、Ｘ線電力インバータの出力からのＸ線発生電力をＣＴシステムの回転側の高電圧タンク回路に結合するように構成されており、高電圧タンク回路は更にＸ線発生管に結合される。回転変圧器は更に、補助電力インバータの出力からの補助電力をＣＴシステムの回転側の少なくとも１つの補助電圧出力に結合するように構成される。
【０００８】
更に別の実施形態では、多チャンネル回転変圧器が提供され、該回転変圧器は、不動側と回転側とを含んでおり、その各々は一対の同心のＥ字形コアを持つ。一対の同心のＥ字形コアの一方は一次電力を不動側から回転側へ結合するように構成されており、また一対の同心のＥ字形コアの他方は補助電力を不動側から回転側へ結合するように構成されている。
【０００９】
以下の詳しい説明では模範的な図面を参照するが、図面では幾つかの図において同様な素子には同じ参照番号を付している。
【発明を実施するための最良の形態】
【００１０】
本書では、多チャンネル回転変圧器を使用してＸ線発生器電力及び補助電力の両方をＣＴシステムの回転部へ供給するＣＴシステム用多チャンネル無接触電力伝送システムを開示する。このように、非接触様式で（すなわち、電磁誘導により）電力を伝送することは、全てのＣＴシステム電力伝送要求に対して使用される。これにより、ＣＴシステムは、ガントリの回転側から一層多数の部品が除かれるという理由で、複雑さが低減すると云う特徴を有する。その上、本発明の実施形態では更に、多チャンネル無接触電力伝送システムをＣＴシステムに適合させるために、回転変圧器巻線の放射ＥＭノイズ及び他の細部について対策を取る。
【００１１】
最初に図１について説明すると、本発明の一実施形態に従って使用するのに適している模範的なコンピュータ断層撮影（ＣＴ）システム１０を示している。システム１０は、大体環状の回転フレーム１２すなわちガントリと、この回転フレーム１２を支持する不動のフレーム１３を含んでいる。回転フレーム１２は、開口部１９の反対側に配置された検出器アレイ１８へ向けて高度にコリメートされたＸ線ビーム１６を放出するためのＸ線源１４を含んでいる。開口部１９は（患者のような）試験対象物２０を架台２１上に載置できるようにする。架台２１は回転フレーム１２の回転軸線２２に沿って、例えば、平行移動によって、移動可能とすることができる。架台２１の移動により、試験対象物２０の異なる関心のある断面部分を回転フレーム１２の撮像平面内に位置決めすることが可能になる。
【００１２】
試験対象物２０及び／又は架台２１の移動等により試験対象物２０を開口部１９内に位置決めした後、回転フレーム１２が次いで回転軸線２２を中心にして回転させられて、回転経路に沿った複数の角度位置の各々に置かれる。同時に、Ｘ線源１４がＸ線ビーム１６を放出し、Ｘ線ビーム１６は試験対象物２０を通過して、検出器アレイ１８の複数の検出器素子（個々には図示していない）の受け面に入射する。これに応答して、検出器アレイ１８の複数の検出器素子の各々は、受けたＸ線の強度に比例、従って試験対象物２０を通過した後のＸ線ビームの減衰量に比例する大きさの電気信号を発生する。
【００１３】
投影データを表している、検出器アレイ１８の各々の検出器素子からの信号は、線路２３を介して制御及びアレイ処理装置２４へ送られ、この処理装置２４は受け取った投影データを処理して、選択された半径方向又は角度位置における試験対象物２０の半径方向の像（これは「ビュー」と呼ばれる）を生成する。次いで、回転フレーム１２の完全な１回転にわたって取られたビューの集合（これは一般に「スキャン」と呼ばれる）が、既知の画像処理アルゴリズムを使用して更に処理されて、撮像平面内にあった試験対象物２０の関心のある部分の断面画像が生成される。
【００１４】
図１に詳しく示されていないが、従来の構成の電力伝送装置では、幾つかの電力伝送用電子装置アセンブリ（例えば、インバータ、高電圧タンク回路）がまた、Ｘ線源１４及び検出器アレイ１８に加えて、回転フレーム１２に物理的に取り付けられている。残念なことに、速度を高くして回転フレーム１２を回転させる所望の能力は（他の因子の中でとりわけ）電子部品の質量によって妨害される。ガントリの速度が高くなると、信号対ノイズ比（ＳＮＲ）を一定に維持するために発生器の電力要件も増大する。そのため、結果として発生器の構成部品の質量が大きくされる。この結果、このような部品を回転フレーム１２から片持ち張り式に突き出す必要が生じ、これによって取付けブラケットに余分なトルクが生じてそれにかかる力が大きくなり、このことは回転速度を更に制限することになる。
【００１５】
図２はＣＴ用途のための既存の電力伝送システム１００の回路図であり、該システムは、Ｘ線発生器電力を伝送するための一次電力チャンネル１０２と、回転フレーム１２上に配置された電子装置の多くで使用される補助電力を伝送するための少なくとも１つの２次電力チャンネルとを含んでいる。図示されているように、一次及び二次電力チャンネルの電力は不動のフレーム１３から回転フレーム１２へ、スリップリング１０６によって表される「接触」様式で伝送される。具体的に述べると、一次電力チャンネル１０２により伝送されるＸ線発生器電力はガントリに取り付けられたＸ線電力インバータ１０８によって制御され、Ｘ線電力インバータ１０８にはスリップリング１０６を介して直流電圧が供給される。インバータ１０８は４つの絶縁ゲート型バイポーラ・トランジスタ（ＩＧＢＴ）スイッチ（全体を１１０で示している）を含んでおり、これらのスイッチは高周波電流及び電圧を発生するために使用される。インバータ１０８の交流出力側の１つの枝路は共振用の誘導性及び容量性部品を含んでおり、これらの部品は、ＩＧＢＴスイッチング損失並びに電磁放射を低減する正弦波形を生成するための直列共振回路１１２を形成する。
【００１６】
インバータ１０８からの交流出力電圧は高電圧（ＨＶ）タンク回路１１４へ供給され、タンク回路１１４は昇圧変圧器１１６及び整流器回路１１８により高電圧直流電位を発生させる。ＨＶ直流電位（例えば、１４０ｋＶ）は次いでＸ線の発生のためにＸ線管１２０に印加される。
【００１７】
２次電力チャンネル１０４に示されているように、不動のフレーム１３からの入力交流電力がまた、補助電力電圧への変換のために、接触様式で（すなわち、スリップリングを介して）回転フレーム１２へ伝送される。図示の例では、第１の補助電圧が第１の交流／直流コンバータ１２４と第１の直流／直流コンバータ１２６との直列構成により生成され、また回転フレーム１２上の第２の補助電圧が第２の交流／直流コンバータ１２８と第２の直流／直流コンバータ１３０との直列構成により生成される。ここで、当然のことであるが、交流／直流及び直流／直流コンバータのパラメータは、それらから給電すべき負荷の種類に依存して、任意所望の直流補助電圧値を生じるように選択することができる。最後に、図２は更に、Ｘ線管１２０の回転子を駆動するために使用される回転子駆動装置１３２も示しており、回転子駆動装置１３２の電力は、スリップリング１０６を介して伝送される直流電力から直接取り出される。
【００１８】
とはいえ、前に述べたように、電力変換用電子装置を回転式のガントリ上に設置することは、ＣＴシステムの重量、体積（大きさ）及び複雑さを増大させる。そこで、図３に本発明の一実施形態に従った多チャンネル無接触電力伝送システム２００を示す。スリップリング構成の代わりに、電力は多チャンネル回転変圧器２０２（以下に詳しく説明する）によって不動のフレーム１３から回転フレーム１２へ伝送される。回転変圧器２０２は一次Ｘ線発生電力を伝送するだけでなく、１つ又は複数のチャンネルを介して補助電力を伝送する。この態様では、（インバータのような）或る特定の電力変換装置を不動のフレーム１３上に配置することができる。例えば、一次Ｘ線電力インバータ１０８に加えて、システム２００は更に、不動のフレーム１３上に取り付けられた別個の補助電力インバータ２０４を含む。
【００１９】
Ｘ線電力インバータ１０８によって生成される電力はパルス状であるので、該電力はＣＴシステム２００の回転フレーム１２上に存在する様々な電子装置に給電するのに適していない。そこで、補助電力インバータ２０４はＸ線電力インバータに類似しているけれども、補助電力インバータ２０４はＸ線電力インバータ１０８に対して低減した電力能力（例えば、約２５０ｋＷに対して約５ｋＷ）を持つ。無接触システム２００と従来のシステム１００との間の別の相違は、Ｘ線／補助インバータ出力の２つの枝路に等しく分割された誘導性及び容量性共振素子を使用していることである。このような構成は、回転変圧器２０２における（ＩＧＢＴスイッチによって発生される）共通モードの電圧ノイズを低減するのに役立つ。
【００２０】
回転フレーム上で多数の固定電圧レベルを生成する代わりに、回転変圧器２０２は、Ｘ線電力一次巻線２０６及び二次巻線２０８と共に、補助電力一次巻線２１０及び１つ又は複数の補助電力二次巻線２１２，２１４を含むように構成されている。所望の様々な直流電圧（例えば、直流６００Ｖ、直流４８Ｖ、直流２４Ｖなど）を供給するために複数の二次巻線を回転変圧器２０２に組み込むことができることは勿論である。図示の特定の実施形態では、補助電力二次巻線２１２，２１４の各々の電圧は次いで回転フレーム１２上で整流され濾波されて、複数の直流電圧（すなわち、回転子駆動装置用の６００ボルトのＨＶ直流出力、及び様々なシステム電子装置用の４８ボルトの低電圧直流出力）を生成する。
【００２１】
図３の更に示されているように、Ｘ線源、高電圧補助電源及び低電圧補助電源用の出力電圧は全て検知しディジタル化して、帰還コレクタ／ディジタル化器／送信器２１６から不動側電力制御装置２１８へ、例えば、容量性又は光学通信リンクを介して送ることができる。一種類の適当な無接触通信リンクが米国特許第６３０１３２４号（発明者ピアソン，ジュニア等）に記載されており、該特許の内容はその全体を本書に取り入れる。このような帰還制御ループにより、電力制御装置２１８が、最大の割合の電圧降下を経験する回転側で検知された特定の出力電圧に基づいて、補助電力インバータ２０４内のＩＧＢＴを制御して、１つの電力インバータで複数の出力電圧を制御することが可能になる。これに関連する追加の情報は、米国特許第５６４６８３５号（発明者カッチャ）に記載されており、該特許の内容はその全体を本書に取り入れる。
【００２２】
ここで図４を参照すると、図３に概略的に示した多チャンネル回転変圧器２０２の断面図が示されている。図示されているように、回転変圧器２０２は一対の対向する円盤状部材を持つことを特徴とし、該一対の円盤状部材には、不動の（一次）円盤状部材３０２と回転（二次）円盤状部材３０４とが含まれており、両者の間には空隙３０６が存在する。円盤状部材３０２及び３０４の各々は、高透磁率材料（例えば、フェライト）から作られた一対の同心のコア（一次／二次Ｘ線電力巻線用の内側コア３０８及び一次／二次補助電力巻線用の外側コア３１０）を含んでおり、これらのコアは一方の円盤状部材から他方の円盤状部材へ空隙を横切って磁束を導く。図示の模範的な実施形態では、コア３０８及び３１０は、コア付近のどのような漂遊磁界も良好に含有するように「Ｅ字形」になっている。
【００２３】
図４に更に示されているように、内側及び外側Ｅ字形コアに対する一次／二次巻線の両方は、Ｅ字形コア中の１つの開口部から始めて、Ｅ字形コアの２つの溝の内の一方の溝の中に円盤状部材の円周に沿った第１の方向（時計回り方向）に開始点近くまで巻き付け、次いでコア中の別の開口部へ横断させ、そこで前記２つの溝の内の他方の溝の中に円盤状部材の円周に沿った第２の方向（反時計回り方向）に開始点まで巻き付け、もって１ターンを完成することによって、巻装することができる。とはいえ、所望の出力の数及び電圧レベルに応じて、一次巻線及び二次巻線（又は複数の二次巻線）の両方について複数のターンを同じＥ字形コアに巻装してもよいことは勿論である。
【００２４】
図５に示す代替実施形態では、回転変圧器の漏洩インダクタンスＬを電力インバータ１０８の共振インダクタとして作用させ、これによりインバータ・ハウジング内に別個のインダクタ部品を設けることを省略する。図６に示す更に別の実施形態では、共振コンデンサ３２１及び３２２を回転変圧器２０２の一次巻線２０６の中に直接組み込んでおり、これによりそれらにかかる電圧の大きさを低減する。例えば、図７に示す１ターンの一次巻線では、コンデンサ３２１及び３２２を巻線入力から１８０度の所に配置し、これにより２つの共振コンデンサの構成の場合に巻線にかかる電圧を最小にすることができる。このコンデンサ配置は、漏洩インダクタンスＬによって発生される共振電圧を制限する。この構成は模範例に過ぎず、当業者には当然のことと思われるが、この特定の構成は巻線電圧を低下させる目的で異なる数のコンデンサ及び一次巻線のターンについて変えることができる。
【００２５】
上述した多チャンネル無接触電力伝送システムの使用により、全ての接触型のスリップリング−ブラシ、関連した塵埃、摩耗及び必要とされる予防整備が無くなり、その結果、有利なコスト節約が行える。更に、Ｘ線電力インバータ・アセンブリ及びブラケットを除去した結果、システムの回転フレームから約４０ｋｇだけ質量が直接的に減少する。これに対応して、等しい質量の釣合い重りも回転フレームから除去することができる。インバータ及び釣合い重りの両方を除くと、より更に一様に釣り合いのとれたガントリが得られるように片持ち張り式の部品を無くす余地ができ、もって１回転当り０．２秒のガントリ速度を達成するのが容易になる。また、フレームの不動側にインバータ（１つ又は複数）及び補助直流−直流コンバータを設置したことにより、更なるコスト削減が行える。
【００２６】
その上、回転変圧器に多数の二次巻線を設けることによって、複雑さ、部品の数、及びシステムの体積を更に低減することができる。加えて、本システムでは、インバータ出力枝路における分割したインピーダンスとＥ字形回転変圧器コアの構成の結果として、電磁放射が減少する。
【００２７】
本発明を好ましい実施形態に関して説明したが、当業者には、様々な変更をなすことができること、及び本発明の趣旨から逸脱することなくその素子を等価なものと置換することができることが理解されよう。更に、本発明の本質的な趣旨から逸脱することなく特定の状況又は部材を本発明の教示に適応させるように多数の修正を行うことができる。従って、本発明は、本発明を実施するための最良の形態として開示した特定の実施形態に限定されるものではなく、特許請求の範囲内に入る全ての実施形態を含むものである。図面中のものと対応する参照番号を特許請求の範囲の記載に挿入したが、これは特許請求の範囲に記載の発明の理解を容易にするためだけのもであって、特許請求の範囲に記載の発明を狭めることを意図したものではない。本願の特許請求の範囲に記載のものは明細書に組み込まれて、明細書の説明の一部になるものとする。
【図面の簡単な説明】
【００２８】
【図１】本発明の一実施形態に従って使用するのに適している模範的なコンピュータ断層撮影（ＣＴ）システム１０である。
【図２】図２はＣＴ用途のための既存の電力伝送システムの回路図である。
【図３】本発明の一実施形態に従ったＣＴシステム用の多チャンネル無接触電力伝送システムの回路図である。
【図４】図３に概略的に示した多チャンネル回転変圧器の断面図である。
【図５】その漏洩インダクタンスを電力インバータの共振インダクタとして作用させるようにした代替実施形態の回転変圧器の回路図である。
【図６】その一次巻線に共振コンデンサをも組み入れるようにした更に別の実施形態の回転変圧器の回路図である。
【図７】図６に概略的に示した多チャンネル回転変圧器の断面図である。
【符号の説明】
【００２９】
１０  コンピュータ断層撮影（ＣＴ）システム
１２  回転フレーム
１３  不動のフレーム
１４  Ｘ線源
１６  Ｘ線ビーム
１８  検出器アレイ
１９  開口部
２０  試験対象物
２１  架台
２２  回転軸線
２３  線路
１００  電力伝送システム
１０２  一次電力チャンネル
１０４  ２次電力チャンネル
１０６  スリップリング
１０８  Ｘ線電力インバータ
１１０  絶縁ゲート型バイポーラ・トランジスタ（ＩＧＢＴ）スイッチ
１１２  直列共振回路
１１６  昇圧変圧器
１１８  整流器回路
１２０  Ｘ線管
２００  多チャンネル無接触電力伝送システム
２０２  多チャンネル回転変圧器
２０６  Ｘ線電力一次巻線
２０８  Ｘ線電力二次巻線
２１０  補助電力一次巻線
２１２、２１４  補助電力二次巻線
３０２  不動の（一次）円盤状部材
３０４  回転（二次）円盤状部材
３０６  空隙
３０８  内側コア
３１０  外側コア
３２１、３２２  共振コンデンサ
【図１】
2006296944.tif 000003
【図２】
2006296944.tif 000004
【図３】
2006296944.tif 000005
【図４】
2006296944.tif 000006
【図５】
2006296944.tif 000007
【図６】
2006296944.tif 000008
【図７】
2006296944.tif 000009
【外国語明細書】
2006296944000001.pdf